(57)【要約】【課題】紙の箸入れ袋に収納して食卓等の上に並べるだけでも上記袋からはみ出した箸置き部によって上品な雰囲気を醸し出すことができ、かつ、箸部と分離した箸置き部を食卓等の上に置いて箸置きとして使用した場合にも上記と同様に、食卓に上品な趣きのある雰囲気を醸し出すことができる割り箸を提供することをその課題としている。【解決手段】箸部材１ａの先端の中央から長手方向に適宜長さの割り目４を形成して分離可能な一対の箸部５ａ，５ｂを形成すると共に上記箸部の後端側に切れ目８を介して箸置き部９を一体に形成してなる割り箸１において、上記箸置き部９の少なくとも片面（箸置き面）側に、表面に模様１３または着色した模様１３を施したシート材１４を設けてなる構成である。【選択図】  図１
0003135925.tif 000002
【実用新案登録請求の範囲】
【請求項１】
箸部材の先端の中央から長手方向に適宜長さの割り目を形成して分離可能な一対の箸部を形成すると共に上記箸部の後端側に切れ目を介して箸置き部を一体に形成してなる割り箸において、上記箸置き部の少なくとも片面（箸置き面）側に、表面に模様または着色した模様を施したシート材を設けてなる構成を特徴とする割り箸。
【請求項２】
上記箸置き部の少なくとも片面（箸置き面）側に窪み部を有し、この面側に上記シート材を貼り付けてなる構成を特徴とする請求項１記載の割り箸。
【請求項３】
上記シート材は、和紙、洋紙、布地、樹脂シート材、または皮革であることを特徴とする請求項１または2記載の割り箸。
【考案の詳細な説明】
【技術分野】
【０００１】
本考案は装飾性のある割り箸に関するものである。
【背景技術】
【０００２】
一般にわが国では食堂やレストランや居酒屋、その他の飲食店等において、客が各種の食べ物を注文して食する時にはテーブル等に置いてある割り箸を使用している。このときに使用される割れ箸は、杉やその他の木の間伐材を使用して製造されたものが殆どである。その一例としては、杉材を適宜厚さで長さ１５〜２０ｃｍ位の略長方形状に形成し、先端の中央から長手方向に割り目を入れたものであり、使用時に、この割り目から左右に２つに分離することによって１対の箸を形成できるようにしたものである。
【０００３】
さらに、割り箸のデザイン性を高めたり高級感を出すために、漆等の塗りを割り箸の一部に施したり、割れ箸の上端部を斜めに形成したり、或いは割れ箸の上端部の縁に丸みを付けたりしたものなどがある。
【０００４】
居酒屋等で料理を食する時には、割り箸を手にとって割れ目から２つに割り、料理を摘んで食しているが、高級な料理店等では小粋な箸置きが用意されていて、中座したり会話のために手を休める時に、この箸置きに箸の先端部を置いて食事の手を休めている。高級な料理店等のような箸置きに箸を置くことによって食卓上の見栄えも良くなり、高級感のある雰囲気で食事や酒宴を楽しむことができる。
【０００５】
しかし、一般的な居酒屋等においては、必ずしも高級な料理店等のような箸置きが用意されているとは限らず、飲食中に箸を置いて手を休める時には料理の入った皿や器の上に箸を置いているのが現状である。そのため食卓等の上が何となく雑然とした感じがして見栄えもよくなかった。
【０００６】
そこで、本考案者と同一人は先に、箸部材の先端の中央から長手方向に適宜長さの割り目を入れて分離可能な一対の箸部を形成すると共に、箸部の後端側に横断する切れ目を介して箸置き部を一体に形成してなる割り箸を開発していた。
【０００７】
この割り箸を使用すれば、木やガラスや、粘土類を焼いて作くられた箸置きを用意しなくても、使用時に箸部と箸置き部とを切れ目で折って分離し、分離した箸置き部を食卓等の上に置くと共に、箸部の先端部を箸置き部の上に置くことにより、皿や器の上に箸(部)を置くことなく飲食中の手を休めることができる。
【０００８】
しかしながら、上記したような箸置き部付きの割り箸の場合は、箸置き部は一体形成された箸部と同じように、木である素材の色や繊維状の木模様であるため、必ずしも上品な趣きのある雰囲気を食卓等の上に醸し出すことができていないのが現状であり改良の余地あった。
【考案の開示】
【考案が解決しようとする課題】
【０００９】
本考案は上記のような点に鑑みて開発したものであり、紙の箸入れ袋に収納して食卓等の上に並べるだけでも上記袋からはみ出した箸置き部によって上品な雰囲気を醸し出すことができ、かつ、箸部と分離した箸置き部を食卓等の上に置いて箸置きとして使用した場合にも上記と同様に、食卓等の上に上品な趣きのある雰囲気を醸し出すことができる割り箸を提供することをその課題としている。
【課題を解決するための手段】
【００１０】
本考案は上記した課題を解決するために次のような構成にしてある。すなわち、請求項１記載の本考案の割り箸は、箸部材の先端の中央から長手方向に適宜長さの割り目を形成して分離可能な一対の箸部を形成すると共に上記箸部の後端側に切れ目を介して箸置き部を一体に形成してなる割り箸において、上記箸置き部の少なくとも片面（箸置き面）側に、表面に模様または着色した模様を施したシート材を設けてなる構成を特徴とする。
【００１１】
請求項２記載の本考案の割り箸は、請求項１記載の割り箸の構成において、上記箸置き部の少なくとも片面（箸置き面）側に窪み部を有し、この面（箸置き面）側に上記シート材を貼り付けてなる構成を特徴とする。
【００１２】
請求項３記載の本考案の割り箸は、請求項１または２記載の割り箸の構成において、上記シート材は、和紙、洋紙、布地、樹脂シート材、または皮革であることを特徴とする。
【００１３】
勿論、本考案の割り箸は、箸置き部の両面側にシート材を設けてものでもある。箸置き部の両面（箸置き面）とは、他の面（側面）に比べて面積の大きな面側である。また、本考案の割り箸は、箸置き部の外面全体にシート材を貼り付け等によって設けたものであってもよい。
【考案の効果】
【００１４】
本考案の割り箸では、表面に模様または着色した模様を施したシート材を貼り付けてあるので、紙の箸入れ袋に収納して食卓等の上に並べるだけでも上記袋からはみ出した箸置き部に設けたシール材の表面の模様または着色した模様によって、従来の割り箸では奏することのできない趣を食卓等の上に醸し出すことができる。また、シール材の表面の模様または着色した模様が和風な感じの模様等であれば、より上品な趣きのある雰囲気を醸し出すことができる。同様に、使用時に1対の箸部と分離した箸起き部をシール材を貼り付けた面側を上にして食卓等の上に置き、この箸起き部に分離した1対の箸部の先端部を置くことによっても、食卓等の上に趣きのある雰囲気を醸し出すことができる。
【００１５】
また、窪み部を形成した箸置き部の面側に模様または着色した模様を施したシート材を貼り付けた本考案の割り箸においても、安定した状態でかつ見栄えよく箸部の先端部を箸置き部に置くことができると共に、シート材の色や模様等によって食卓等の上に趣きのある雰囲気を醸し出すことができる。
【００１６】
また、シート材が和紙、洋紙、布地、樹脂シート材、または皮革のいずれかのものであることによっても、それぞれの素材の持つ趣とシート材に施された模様等との趣と相まって、それぞれ違った感じの趣を食卓等の上に醸し出すことができる。
【考案を実施するための最良の形態】
【００１７】
以下、本考案の実施するための最良の形態を添付の図に基づいて説明する。
図１は本考案にかかる割り箸の斜視図、図２は分離した箸置き部に1対の箸部の先端部を置いた場合の説明図、図３は本考案にかかる割り箸の平面図、図４は本考案にかかる割り箸の側面図である。これらの図において、割り箸１は、箸部材１ａとして木材を加工して横（幅）８〜１２ｍｍ、縦（厚さ）５ｍｍ、長さ１５ｃｍ〜２５ｃｍ位の細長い平面視略長方形状に形成し、後部側２から先端３にかけて漸次細く（横幅寸法を漸次小さく）形成したものである。
【００１８】
そして先端３の中央から後部側２の手前位までの長手方向には割り目４が形成してあり、この割り目４を介して一対の箸部５ａ、５ｂが形成されている。割り目４は、両箸部５ａ、５ｂの後端６近傍まで入れて両箸部５ａ、５ｂを分離した切り込みである。割り目４の上端４ａから箸部５ａ、５ｂの後端６までは、両箸部５ａ、５ｂが分離し易いように両面（箸置き面と、食卓等への載置面）側に浅い溝７を形成してある。さらに箸部５ａ、５ｂの後端６には、切れ目８を介して箸置き部９を一体に形成してある。上記の切れ目８は、割り箸１の表裏両面側に浅い（または深い）線状の切り込み（溝）を入れたものである。勿論、切れ目８は、箸部５ａ、５ｂの後端６の全周にわたって入れた切り込みであってもよい。
【００１９】
本考案の割り箸１は、この切れ目８から折ることによって、箸部５ａ、５ｂから箸置き部９を分離することができる。特に切り込みが深いと、だれでも簡単に切れ目８から折って箸置き部９を分離することができる。
【００２０】
この箸置き部９は、分離した箸部５ａ、５ｂの先端部１０を置くことができる幅(長さ)１１を有し、片面（箸置き面）に湾曲形成した窪み部１２を形成してある。勿論、箸置き部９に対する窪み部１２の向き、形状は、任意に設計変更するも自由である。図示の例の箸置き部９は、窪み部１２を箸置き部９の片面（箸置き面）側のみに形成してあるが反対側の面(上記の箸置き面の裏側の面)にも形成したものであってもよい。
【００２１】
そして本考案の割り箸１の要部である箸置き部９には、窪み部１２を形成した面（箸置き面）側に、この面側全体を被うようにして、表面に模様１３または着色した模様１３を施したシート材１４を糊等の接着剤で貼り付けてある。この割り箸１において、シート材１４としては和紙が用いられているが、洋紙、布地、樹脂シート材、または皮革であってもよい。シート材１４である和紙の表面に描く上記の模様１３は、和風な感じの図柄が好ましい。勿論、模様は数字や欧文文字等が含まれるものであってもよい。
【００２２】
上述のような構成からなる本考案の割り箸１にあっては、通常は箸置き部９の模様１３の施されたシート材１４が外に出る大きさの箸袋１５に先端部１０側から挿入しておく。この状態の割り箸１は、箸袋１５から突出した箸置き部９のシート材１４側を上にして食卓等の所定場所に置くことにより、シート材１４の表面の彩色や模様１３によって、見た目にも華やかで食卓等の上に上品で和風な趣を醸し出すことができる。
【００２３】
さらに、この割り箸１を使用する場合は、一方の手で箸部５ａ、５ｂを持ち、他方の手で箸置き部９を摘んで切れ目８から折るこのことにより、簡単に箸部５ａ、５ｂと箸置き部９とを分離することができる。分離した箸置き部９は、模様１３の施されたシート材１４側を上にして食事中の食卓等の上に置くとともに、両箸部５ａ、５ｂを割り目４および溝７から分離して使用する。そして食事の手を休める時には、両箸部５ａ、５ｂの先端部１０を箸置き部９のシート材１４を貼った窪み部１２に置く。この場合も箸置き部９のシート材１４の表面の彩色や模様１３が周囲から見えて、食卓等の上に上品で落ち着いた趣を醸し出すことができ、食事をする人の心を和ますことができる。
【００２４】
なお、図５は上記したシート材１４を貼り付ける箸置き部９の面（箸置き面）を窪みを形成することなく平坦に形成した本考案にかかる割り箸１である(他の構成は先に説明した割り箸の構成と同じであり同一箇所に同一符号を付して説明を省略)。この割り箸１においても図１等に示した割り箸と同様の使い方をすることにより、食卓等の上に上品で落ち着いた趣を醸し出すことができる。
【図面の簡単な説明】
【００２５】
【図１】本考案にかかる割り箸の斜視図である。
【図２】分離した箸置き部に1対の箸部の先端部を置いた場合の説明図である。
【図３】本考案にかかる割り箸の平面図である。
【図４】本考案にかかる割り箸の側面図である。
【図５】本考案にかかる他の割り箸の側面図である。
【符号の説明】
【００２６】
１    割り箸
１ａ  箸部材
３    先端
４    割り目
５ａ，５ｂ  箸部
８    切れ目
９    箸置き部
１２  窪み部
１３  模様
１４  シート材
【図１】
0003135925.tif 000003
【図２】
0003135925.tif 000004
【図３】
0003135925.tif 000005
【図４】
0003135925.tif 000006
【図５】
0003135925.tif 000007